(57)【要約】【課題】しみ汚れを簡単に除去できる部分洗い装置を備えた洗濯機を提供すること。【解決手段】被洗浄物に水を噴射する部分洗い装置７を設け、前記部分洗い装置７は、水を噴射する吐出口１１と、前記部分洗い装置７に連結し前記吐出口１１に水を導く水路１２を有したものである。【選択図】　図１
2004129776.tif 000002
【特許請求の範囲】
【請求項１】
筐体と、前記筐体内に配設した洗濯槽と、前記洗濯槽に水を供給する給水路と、被洗浄物に水を噴射する部分洗い装置を具備し、前記部分洗い装置は、水を噴射する吐出口と、前記部分洗い装置に連結し前記吐出口に水を導く水路を有した洗濯機。
【請求項２】
筐体と、前記筐体内に配設した洗濯槽と、前記洗濯槽に水を供給する給水路と、被洗浄物に水を噴射する部分洗い装置を具備し、前記部分洗い装置は、水を噴射する吐出口と、前記部分洗い装置に連結し前記吐出口に水を導く水路と、前記吐出口に導く水を加熱する加熱手段を有した洗濯機。
【請求項３】
筐体と、前記筐体内に配設した洗濯槽と、前記洗濯槽に水を供給する給水路と、被洗浄物に水を噴射する部分洗い装置を具備し、前記部分洗い装置は、水を貯水する貯水容器と、水を加熱する加熱手段と、前記貯水容器からの水を水路へ導く導水路と、前記加熱手段により加熱された水を被洗浄物に噴射する吐出口を有した洗濯機。
【請求項４】
部分洗い装置は、加熱手段の下流側に加熱室を設けた請求項２または３記載の洗濯機。
【請求項５】
部分洗い装置は、吐出口から噴射する水の圧力を可変できる構成とした請求項１〜４のいずれか１項に記載の洗濯機。
【請求項６】
部分洗い装置は、吐出口へ供給する水量を調節する開口調節部を有し、前記開口調節部により前記吐出口から噴射する水の量を可変できる構成とした請求項１〜４のいずれか１項に記載の洗濯機。
【請求項７】
部分洗い装置は、吐出口から噴射する水の温度を可変できる構成とした請求項２〜４のいずれか１項に記載の洗濯機。
【請求項８】
部分洗い装置は、吐出口から噴射する水の噴射時間を可変できる構成とした請求項１〜４のいずれか１項に記載の洗濯機。
【請求項９】
部分洗い装置は、吐出口から噴射する水の噴射面積を可変できる構成とした請求項１〜４のいずれか１項に記載の洗濯機。
【発明の詳細な説明】
【０００１】
【発明の属する技術分野】
本発明は、衣類などの被洗浄物の部分的な汚れを落とす部分洗い装置を設けた洗濯機に関するものである。
【０００２】
【従来の技術】
一般に、衣類に付着したしみ汚れは、通常の洗濯だけでは落ちにくい。また、しみ汚れは成分に応じた洗剤や洗浄方法を選択しなければ、衣類にしみを広げてしまう場合もある。従来、部分的な汚れを除去するために、化学的除去では、専用洗剤を溶かした水に漬けておく、いわゆる漬け置き、また、物理的除去では、ブラシ等でこする（例えば、特許文献１参照）や、たたくなどの作業で、しみを衣類から移動させる方法などがある。また、近年では超音波振動子を利用したしみ汚れ除去手段などもある。
【０００３】
【特許文献１】
特公平２−１４８７９号公報
【０００４】
【発明が解決しようとする課題】
しかしながら、ブラシでこすると衣類の繊維が傷んだり、デリケートな衣類などには適さない。また、たたいて汚れを除去する場合には、衣類から移動したしみ汚れを吸い取る余分な布が必要で手間がかかる。また、洗剤水への漬け置き方法では長い時間が必要である。
【０００５】
また、洗濯機で通常洗濯した場合でも、被洗浄物が多すぎる場合は洗浄が不十分になり、しみ汚れが残ったり、移染する場合がある。また、しみ汚れ専用洗剤などをあらかじめしみ込ませるなどの手間が必要である。
【０００６】
一方、超音波振動子を利用した洗濯機は、布を水に浸漬する手間が必要で、部分洗い用の洗剤を利用すると洗浄できるが、水だけでは十分な洗浄性能とはいえない場合がある。
【０００７】
本発明は上記課題を解決するもので、しみ汚れを洗浄しやすくする部分洗い装置を設けた洗濯機を提供することを目的とする。
【０００８】
【課題を解決するための手段】
前記従来の課題を解決するために、本発明の洗濯機は、被洗浄物に水を噴射する部分洗い装置を具備し、前記部分洗い装置は、水を噴射する吐出口と、前記部分洗い装置に連結し前記吐出口に水を導く水路を有したものである。
【０００９】
これにより、衣類などの被洗浄物のしみ汚れの洗浄性能を高めることができる。
【００１０】
【発明の実施の形態】
本発明の請求項１に記載の発明は、筐体と、前記筐体内に配設した洗濯槽と、前記洗濯槽に水を供給する給水路と、被洗浄物に水を噴射する部分洗い装置を具備し、前記部分洗い装置は、水を噴射する吐出口と、前記部分洗い装置に連結し前記吐出口に水を導く水路を有したものであり、衣類などの被洗浄物のしみ汚れの洗浄性能を高めることができる。
【００１１】
請求項２に記載の発明は、筐体と、前記筐体内に配設した洗濯槽と、前記洗濯槽に水を供給する給水路と、被洗浄物に水を噴射する部分洗い装置を具備し、前記部分洗い装置は、水を噴射する吐出口と、前記部分洗い装置に連結し前記吐出口に水を導く水路と、前記吐出口に導く水を加熱する加熱手段を有したものであり、温水を利用してしみ汚れの洗浄性を高めることができる。
【００１２】
請求項３に記載の発明は、筐体と、前記筐体内に配設した洗濯槽と、前記洗濯槽に水を供給する給水路と、被洗浄物に水を噴射する部分洗い装置を具備し、前記部分洗い装置は、水を貯水する貯水容器と、水を加熱する加熱手段と、前記貯水容器からの水を水路へ導く導水路と、前記加熱手段により加熱された水を被洗浄物に噴射する吐出口を有したものであり、しみ汚れに適した温度の水を使用することができる。
【００１３】
請求項４に記載の発明は、上記請求項２または３に記載の発明において、部分洗い装置は、加熱手段の下流側に加熱室を設けたものであり、噴射する水の温度を高温にし、噴射時の水の勢いを高め洗浄性を高めることができる。
【００１４】
請求項５に記載の発明は、上記請求項１〜４に記載の発明において、部分洗い装置は、吐出口から噴射する水の圧力を可変できる構成としたものであり、しみ汚れの付着の程度や布地の種類に応じて、噴射時の水の勢いを選択してしみ汚れの洗浄をすることができる。
【００１５】
請求項６に記載の発明は、上記請求項１〜４に記載の発明において、部分洗い装置は、吐出口へ供給する水量を調節する開口調節部を有し、前記開口調節部により前記吐出口から噴射する水の量を可変できる構成としたものであり、しみ汚れの大きさに応じた洗浄を行うことができる。
【００１６】
請求項７に記載の発明は、上記請求項１〜４に記載の発明において、部分洗い装置は、吐出口から噴射する水の温度を可変できる構成としたものであり、しみ汚れの種類に応じて噴射時の水温を選択し、洗浄性を高めることができる。
【００１７】
請求項８に記載の発明は、上記請求項１〜４に記載の発明において、部分洗い装置は、吐出口から噴射する水の噴射時間を可変できる構成としたものであり、しみ汚れの付着の程度に応じて噴射時間を変化させ、洗浄性を高めることができる。
【００１８】
請求項９に記載の発明は、上記請求項１〜４に記載の発明において、部分洗い装置は、吐出口から噴射する水の噴射面積を可変できる構成としたものであり、しみ汚れの大きさに応じて、水の噴射面積を選択することができる。
【００１９】
【実施例】
以下、本発明の実施例について図面を用いて説明する。
【００２０】
（実施例１）
図１は、本発明の実施例１を示す洗濯機の縦断面図、図２は外観斜視図、図３は図２の要部斜視図、図４は部分洗い装置の外観図である。
【００２１】
図１〜図４において、１は洗濯機の筐体、２は筐体１の上面に設けた開閉自在な蓋、３は筐体１内に回転自在に設けた洗濯槽で、モータ３ａによって駆動する攪拌翼３ｂを底部に設けている。４は操作部である。５は部分洗い装置７の収納部で、筐体１の上部に設けられている。収納部５内には部分洗い装置７が収納されており、筐体１の上面に開閉自在に設けた蓋６を開くことで、収納部５から部分洗い装置７を取り出して使用することができる。
【００２２】
部分洗い装置７には、スイッチ８、把手９、開口調節部１０、吐出口１１が設けられている。開口調節部１０は調整ねじ（図示せず）を回転させることで吐出口１１を任意の大きさに調節することができる。そして、部分洗い装置７には水道に接続された給水路１７または貯水容器１３から水を導く水路１２が連結してあり、貯水容器１３と水路１２は、バルブ１８を有した導水路１９でつながれている。
【００２３】
また、部分洗い装置７の内部には圧力調整手段（図示せず）が収納されている。なお、水路１２は可撓性を有するホースで形成したフレキシブルな構成とし、部分洗い装置７をその収納部５から任意の長さに引き出すことができるようにしている。
【００２４】
１４は水道または貯水容器１３から導かれる水を加熱する加熱手段、１５は加熱手段１４で加熱された水をさらに高温に加熱するための加熱室で、加熱手段１４の下流側に設けている。加熱手段１４と加熱室１５は、ともに水路１２の途中に設けられている。加熱手段１４と加熱室１５には温度検知手段（図示せず）が設けられている。
【００２５】
また、加熱室１５は加熱手段（図示せず）が付設されている。部分洗い装置７、加熱手段１４、加熱室１５、洗浄工程等は、操作部４の操作で制御手段（図示せず）により制御される。水路１２の上流には分岐弁１６を設け、給水路１７からの水を部分洗い装置７への給水と、洗濯槽３への給水とを選択的に切り替えることができるとともに、バルブ１８の開閉により貯水容器１３から部分洗い装置７への給水と停止が行えるようにしている。
【００２６】
以上のように構成した部分洗い装置７を搭載した洗濯機について、以下、その動作を説明する。しみなどの汚れが付着した衣類などの被洗浄物を洗浄する際には、まず、洗濯機の通常洗濯前にしみ汚れの除去を行う。この場合、部分洗い装置７を収納部５から取り出した後、部分洗い装置７の把手９を握って保持し、吐出口１１を汚れが付着している部分にあててスイッチ８を押すと、水道につながれている給水路１７または貯水容器１３から水路１２を経由して部分洗い装置７へ水が導かれ、吐出口１１から調圧した水が布に噴射され、しみ汚れを除去する。
【００２７】
しみの付着部分が複数の場合は、吐出口１１を移動させながら汚れを除去する。しみを除去した後の水は排水部（図示せず）から排出される。広範囲のしみ汚れを除去する場合や水量を可変する場合には、開口調節部１０を回転させて吐出口１１の開口面積を広くしたり、狭くしたりする。
【００２８】
温水を利用する場合には、スイッチ８あるいは操作部４から温水利用の条件を選択し、加熱手段１４と加熱室１５の制御を行う。水路１２を経由して導びかれる水は、通過する際に加熱手段１４により加熱されて温水になる。より高い温度の水を必要とする際には、温水を加熱室１５で加熱室１５に付設された加熱手段により加熱する。しみ汚れが除去された被洗浄物は洗濯槽３の中にいれ、通常洗濯を行う。
【００２９】
次に、しみ汚れの状態と噴射する水の条件について説明する。デリケートな衣類や、ケチャップなどの軽いしみ汚れを洗浄する場合は、噴射時の水圧は通常よりも低くし、布地傷みを防止する。一方、厚手の衣類や、靴下の泥汚れなどの除去しにくいしみ汚れを洗浄する場合は、噴射時の水圧は通常よりも高めにする。ただし、高圧すぎる場合は布地を傷めるので、布地に応じて圧力を微調節する。
【００３０】
また、付着したしみが広い衣類を洗浄する場合は、吐出口１１の開口面積を大きくし、広い範囲で噴射できるようにする。一方、しみ汚れの付着面積が小さい衣類を洗浄する場合には、吐出口１１の開口面積を小さくすることでポイント的に汚れを除去し、余分な水の使用を防止できるようにする。ラー油などの油溶性のしみが付着した衣類を洗浄する場合は、加熱手段１４、加熱室１５を制御し、温水を利用して汚れを除去しやすくする。
【００３１】
一方、血液などのタンパク汚れは、温水を利用すると凝固して除去できなくなるので、温度検知手段により適温に制御して汚れを除去する。また、水溶性のしみは、常温の水を使用して余分なエネルギを節約する。
【００３２】
同じ水量では吐出口１１の開口面積が小さいほうが吐出圧が大きく、開口面積が大きいほうが吐出圧が小さくなる。そこで、一定圧力で洗浄する条件を選択した場合は、開口調節部１０で開口面積を調整するとともに、制御手段（図示せず）が噴射する水量を自動的に調節するように構成している。
【００３３】
付着したしみが軽い衣類を洗浄する場合には、水の噴射時間を短くして使用する水量を減らし、付着汚れが多い場合には水の噴射時間を長くして除去しやすくすることができる。
【００３４】
なお、本実施例では、部分洗い装置７は筐体１上部に取り付けたが、側面や前面でもよい。また、部分洗い装置７から噴射された水は排出部から排出されるとしたが、排水用の貯水容器を付設してもよい。
【００３５】
【発明の効果】
以上のように、本発明によれば、被洗浄物に水を噴射する部分洗い装置を設けたことにより、衣類などの被洗浄物のしみ汚れの洗浄性能を高めることができる。
【００３６】
また、しみ汚れや布地に応じて部分洗い装置から噴射する水の条件を可変することにより、しみ汚れの洗浄性能を高めつつ、衣類を傷めにくい洗浄を行うことができる。
【図面の簡単な説明】
【図１】本発明の実施例１の洗濯機の縦断面図
【図２】同洗濯機の外観斜視図
【図３】同洗濯機の要部斜視図
【図４】同洗濯機の部分洗い装置の外観図
【符号の説明】
１　筐体
３　洗濯槽
７　部分洗い装置
１０　開口調節部
１１　吐出口
１２　水路
１３　貯水容器
１４　加熱手段
１７　給水路
１９　導水路
【図１】
2004129776.tif 000003
【図２】
2004129776.tif 000004
【図３】
2004129776.tif 000005
【図４】
2004129776.tif 000006